(57)【要約】      （修正有）【課題】容器から取り外したポンプを仮置きすることで、ポンプ下部がどこにも接触せずに、衛生的にポンプ式容器の内容物を詰め替えできるポンプスタンドを提供する。【解決手段】ポンプスタンドは、三角形の鋭角側にポンプストッパーをそれぞれ設けた左板１と右板２の左右２枚の板を、鋭角側を同一方向にして左右２枚の板の面が同じ間隔で平行になるように鋭角側から３分の２の距離を接続固定軸８で接続固定し、左右２枚の板の鋭角側とは反対側の端には円柱の可動軸９で吸盤１０と連結して円柱の可動軸を軸に可動湾曲部で左右２枚の板と吸盤が０度から９０度の角度で回転可動域を持ち、固定突起部で左右２枚の板と吸盤が９０度の角度で固定する構造を有する。吸盤で壁に取り付けた左右２枚の板の間に容器から取り外したポンプのストローク部を引っかけて仮置きする。【選択図】図２
0003230145.tif 000002
【実用新案登録請求の範囲】
【請求項１】
本考案は、三角形の鋭角側にポンプストッパーを設けた左板と、三角形の鋭角側にポンプストッパーを設けた右板の左右２枚の板を、鋭角側を同一方向にして左右２枚の板の面が同じ間隔で平行になるように鋭角側から３分の２の距離を接続固定軸で接続固定し、左右２枚の板の鋭角側とは反対側の端には円柱の可動軸で吸盤と連結して円柱の可動軸を軸に可動湾曲部で左右２枚の板と吸盤が０度から９０度の角度で回転可動域を持ち、固定突起部で左右２枚の板と吸盤が９０度の角度で固定する構造を特徴とする、折りたたみ収納式詰め替えポンプスタンド。
【請求項２】
吸盤を同等の大きさの磁石に変えた請求項１の折りたたみ収納式詰め替えポンプスタンド。
【考案の詳細な説明】
【技術分野】
【０００１】
本考案は、既に幅広く使われているシャンプーなどのポンプ式容器やトリガーポンプ式容器の内容物を詰め替え用商品で補充する際に、容器から取り外したポンプを仮置きするための、折りたたみ収納式詰め替えポンプスタンドに関するものである。
【背景技術】
【０００２】
シャンプーなどのポンプ式容器の内容物を詰め替え用商品で補充する際は、従来の方法では容器から取り外したポンプを片方の手で持ったまま内容物を詰め替え用商品で補充するか、容器から取り外したポンプを机や床の上に仮置きして内容物を詰め替え用商品で補充するのが一般的である。
【０００３】
ポンプボトルの内容液を補充する際に使用する補助具の、ポンプボトルの詰め替え補助具が知られている（特許文献１参照）。
【０００４】
略半球状の貯水部の一部に径方向内方にへこませた凹部を設け、貯水部から下方へテーパー状に伸びる通水部を設け、通水部は断面が略三日月型となるように、貯水部の凹部と同方向にへこませた形状にすることにより、手押しポンプを抜き出さずにボトルに挿入できるようにする、ポンプボトル用じょうごが知られている（特許文献２参照）。
【０００５】
取り外した手押しポンプ３を、傾斜のあるポンプヘッド台５に置き、支持部７で装着キャップ６を支え、手押しポンプ３を逆立ちさせることで、ボトル２の内容液が吸い上げ用パイプ８の内外に付着していても、内容液がこぼれずに詰め替え作業が可能となる、ポンプヘッドスタンドが知られている（特許文献３参照）。
【０００６】
スタンドの中央に受け口４を設け、詰め換え用液体袋８の切り口を下方にして、受け皿２、又は３にセットし、受け口４に入れ、切り口を切って空の詰め替え用容器７に、手で支えなくても移し替え出来る様にした。
異種詰め替え用液体にも使えるようにする為に、簡単に洗える本体スタンド１、及び受け皿２・３にもプラスチック製にした、各種詰め替え用液体袋の詰め替えスタンドが知られている（特許文献４参照）。
【０００７】
磁石付クリップＡと他のクリップＢを自由自在に変え、保持できる柔らかバンド３でつないだ器具を、洗濯機や風呂蓋を利用してクリップを取り付けある程度、自分で詰め替えた後、柔らかバンド３で調整して固定、口をあわせて残りの液体洗剤を移し替える。
汲出し用ポンプユニット付容器の場合はクリップＢで上部を持ち上げ固定することで、ポンプユニットに付いた洗剤で床を汚すことなく詰め替えることができる、液体洗剤詰め替え器具が知られている（特許文献５参照）。
【先行技術文献】
【特許文献】
【０００８】
【特許文献１】特許第５７１９０７４号公報
【０００９】
【特許文献２】特開２０１２−０８２００８号公報
【００１０】
【特許文献３】特開２０１７−０５７０１８号公報
【００１１】
【特許文献４】実用新案登録第３０８４２０２号公報
【００１２】
【特許文献５】実用新案登録第３１９４８９６号公報
【考案の概要】
【考案が解決しようとする課題】
【００１３】
シャンプーなどのポンプ式容器の内容物を詰め替え用商品で補充する際に、容器から取り外したポンプを机や床の上などに置くと、容器から取り外したポンプの下部が机や床に接触して容器から取り外したポンプが不衛生であったり、容器から取り外したポンプの下部から流れ出た内容物で机や床が汚れてしまうといった課題がある。
【００１４】
特許文献１と特許文献２の従来技術では、ポンプの内側が発明品に接触しているため完全に衛生的とはいえない。
【００１５】
特許文献１と特許文献２と特許文献５の従来技術では、未使用時の収納において使用場所とは異なる収納場所を必要とする。
【００１６】
特許文献３の従来技術では、容器から取り外したポンプを仮置きする際に容器から取り外したポンプの下部を上向きにしか取り付けできない。
【００１７】
特許文献４の従来技術では、本体のスタンドからポンプスタンドが吐出したまま固定されている。
【００１８】
特許文献４の従来技術では、本体のスタンドとポンプスタンドとの位置関係から容器から取り外したポンプの下部を下向きにした取り付けやトリガーポンプ式容器には対応することが難しい。
【課題を解決するための手段】
【００１９】
本考案は、三角形の鋭角側にポンプストッパーを設けた左板と、三角形の鋭角側にポンプストッパーを設けた右板の左右２枚の板を、鋭角側を同一方向にして左右２枚の板の面が同じ間隔で平行になるように鋭角側から３分の２の距離を接続固定軸で接続固定し、左右２枚の板の鋭角側とは反対側の端には円柱の可動軸で吸盤と連結して円柱の可動軸を軸に可動湾曲部で左右２枚の板と吸盤が０度から９０度の角度で回転可動域を持ち、固定突起部で左右２枚の板と吸盤が９０度の角度で固定する構造とし、吸盤で壁に取り付けた本考案の左右２枚の板の間に容器から取り外したポンプのストローク部を引っかけて仮置きすることを特徴とする、折りたたみ収納式詰め替えポンプスタンド。
【考案の効果】
【００２０】
本考案に容器から取り外したポンプを仮置きすることで、容器から取り外したポンプとの接触箇所が容器から取り外したポンプのストローク部のみとなり、容器から取り外したポンプの下部がどこにも接触しないため、衛生的にポンプ式容器の内容物を詰め替え用商品で補充することができる。
【００２１】
本考案に容器から取り外したポンプを上下逆さまに仮置きすることで、容器から取り外したポンプの下部から内容物が流れ出なくなり机や床を汚さないため、衛生的にポンプ式容器の内容物を詰め替え用商品で補充することができる。
【００２２】
本考案は、トリガーポンプ式容器にも対応しており、衛生的にトリガーポンプ式容器の内容物を詰め替え用商品で補充することができる。
【００２３】
特許文献１と特許文献２の従来技術に対して本考案は、容器から取り外したポンプとの接触箇所が容器から取り外したポンプのストローク部のみの折りたたみ収納式詰め替えポンプスタンドであり衛生面において優れている。
【００２４】
特許文献１と特許文献２と特許文献５の従来技術に対して本考案は、使用した場所にそのまま収納できる折りたたみ収納式詰め替えポンプスタンドであり収納面において優れている。
【００２５】
特許文献３の従来技術に対して本考案は、容器から取り外したポンプの下部を上向きにでも下向きにでも取り付けることができる折りたたみ収納式詰め替えポンプスタンドであり使用面において優れている。
【００２６】
特許文献４の従来技術に対して本考案は、可動軸を設けて収納できる折りたたみ収納式詰め替えポンプスタンドであり収納面において優れている。
【００２７】
特許文献４の従来技術に対して本考案は、吸盤で壁のどこにでも取り付けることができるため容器から取り外したポンプの上下の向きに関係なく、さらにトリガーポンプ式容器にも対応可能な折りたたみ収納式詰め替えポンプスタンドであり使用面において優れている。
【図面の簡単な説明】
【００２８】
【図１】本考案の各部を分解した状態の展開図
【図２】本考案の斜視図
【図３】本考案を使用状態にした左側面図
【図４】本考案を使用状態にした正面図
【図５】本考案を収納状態にした左側面図
【図６】本考案を収納状態にした正面図
【図７】容器から取り外したポンプとストローク部の左側面図
【図８】図４を吸盤で壁に取り付けて収納状態を示す説明図
【図９】図２を吸盤で壁に取り付けて図７のポンプを引っかけた説明図
【図１０】図３を吸盤で壁に取り付けて図７のポンプを引っかけた説明図
【図１１】図８のポンプを上下逆さまにして引っかけた説明図
【図１２】図９のポンプを上下逆さまにして引っかけた説明図
【考案を実施するための形態】
【００２９】
図１にあるように、本考案は、三角形の左側が鋭角となった左板（１）、三角形の右側が鋭角となった右板（２）、三角形の鋭角の先端のポンプストッパー（３）、接続固定軸の受け穴（４）、可動軸の受け穴（５）、可動湾曲部（６）、固定突起部（７）、円柱の接続固定軸（８）、円柱の可動軸（９）、吸盤（１０）、吸盤の可動軸の受け穴（１１）で構成する。
【００３０】
図１にある吸盤（１０）は、同等の大きさの磁石を用いた構成でも良い。
【００３１】
図２にあるように、図１の構成品を使用して、左板（１）の接続固定軸の受け穴（４）と右板（２）の接続固定軸の受け穴（４）に円柱の接続固定軸（８）の両端を取り付けて左板（１）と右板（２）を接続固定し、左板（１）と右板（２）の間に吸盤（１０）をはさんで左板（１）の可動軸の受け穴（５）と吸盤の可動軸の受け穴（１１）と右板（２）の可動軸の受け穴（５）の順番で円柱の可動軸（９）を通して接続し、吸盤の可動軸の受け穴（１１）と円柱の可動軸（９）は固定するが可動軸の受け穴（５）と円柱の可動軸（９）は固定しないため、左板（１）と右板（２）が円柱の可動軸（９）を軸にして吸盤（１０）に対して回転できるように組み立てる構造とする。
【００３２】
図３にあるように、本考案の使用状態では、円柱の可動軸（９）を軸として固定突起部（７）で左板（１）と吸盤（１０）が９０度の角度で直角に固定する構造とする。
【００３３】
図４にあるように、左板（１）と右板（２）は円柱の接続固定軸（８）で接続固定され同じ間隔で平行になる構造とする。
【００３４】
図５にあるように、本考案の収納状態では、円柱の可動軸（９）を軸として左板（１）と吸盤（１０）が０度の角度で垂直になる構造とする。
【００３５】
図６にあるように、左板（１）と右板（２）は鋭角側から３分の２の距離を円柱の接続固定軸（８）で接続固定し、円柱の可動軸（９）で吸盤（１０）と連結して回転する構造とする。
【００３６】
図１および図６において、可動軸の受け穴（５）と吸盤の可動軸の受け穴（１１）の間に隙間ができ、左板（１）と右板（２）が円柱の可動軸（９）に対して左右にスライドして可動軸の受け穴（５）が円柱の可動軸（９）から脱落する場合は、円柱の接続固定軸（８）に対して円柱の可動軸（９）を隙間の長さだけ長くする構造とする。
【００３７】
図７にあるように、容器から取り外したポンプ（１２）は、上下に可動するストローク部（１３）と容器から取り外したポンプの下部（１４）を有した構造を持つ。
【００３８】
図５の収納状態から図３の使用状態への変形では、円柱の可動軸（９）を中心に左板（１）と吸盤（１０）が可動湾曲部（６）により、なめらかに９０度左回転して固定突起部（７）で固定する構造とする。
【実施例１】
【００３９】
本考案で容器から取り外したポンプ（１２）を使用する場合は、図８にあるように本考案を吸盤（１０）で吸盤吸着面の壁（１５）に取り付けて、本考案を図３と図４にあるように使用状態に変形してから、図９と図１０にあるように容器から取り外したポンプ（１２）のストローク部（１３）を吸盤吸着面の壁（１５）と直角に固定した本考案の左板（１）と右板（２）の間に通して引っかけて仮置きする。
【００４０】
本考案の左板（１）と右板（２）の鋭角側が下向きに傾いたとしても、左板（１）と右板（２）の鋭角側に設けたポンプストッパー（３）がストッパーとなり、容器から取り外したポンプ（１２）が左板（１）と右板（２）の間から落下することはない。
【００４１】
本考案を壁（１５）に取り付ける場合は、吸盤（１０）ではなく同等の大きさの磁石を用いても良い。
【実施例２】
【００４２】
本考案で容器から取り外したポンプ（１２）を上下逆さまにして使用する場合は、図８にあるように本考案を吸盤（１０）で吸盤吸着面の壁（１５）に取り付けて、本考案を図３との図４にあるように使用状態に変形してから、図１１と図１２にあるように容器から取り外したポンプの下部（１４）を上向きにしてストローク部（１３）を本考案の左板（１）と右板（２）の間に通して引っかけて仮置きする。
【実施例３】
【００４３】
トリガーポンプ式容器を本考案で使用する場合は、図８にあるように本考案を吸盤（１０）で吸盤吸着面の壁（１５）に取り付けて、本考案を図３との図４にあるように使用状態に変形してから、容器から取り外したトリガーポンプのトリガー部を本考案の左板（１）と右板（２）の間に引っかけて仮置きする。
【実施例４】
【００４４】
本考案を収納する場合は、実施例１、実施例２、実施例３の状態から、容器から取り外したポンプ（１２）、または容器から取り外したトリガーポンプを取り外して、本考案を吸盤（１０）で吸盤吸着面の壁（１５）に取り付けたまま図８にあるように左板（１）と壁（１５）が０度の角度で垂直になるよう収納状態に変形してから、邪魔にならないようにコンパクトに収納する。
【００４５】
本考案を吸盤吸着面の壁（１５）から取り外して、ポンプストッパー（３）が下向きになるように１８０度向きを変えてから吸盤（１０）で吸盤吸着面の壁（１５）に取り付けて収納しても良い。
【符号の説明】
【００４６】
１  左板
２  右板
３  ポンプストッパー
４  接続固定軸の受け穴
５  可動軸の受け穴
６  可動湾曲部
７  固定突起部
８  円柱の接続固定軸
９  円柱の可動軸
１０  吸盤
１１  吸盤の可動軸の受け穴
１２  容器から取り外したポンプ
１３  ストローク部
１４  容器から取り外したポンプの下部
１５  壁
【図１】
0003230145.tif 000003
【図２】
0003230145.tif 000004
【図３】
0003230145.tif 000005
【図４】
0003230145.tif 000006
【図５】
0003230145.tif 000007
【図６】
0003230145.tif 000008
【図７】
0003230145.tif 000009
【図８】
0003230145.tif 000010
【図９】
0003230145.tif 000011
【図１０】
0003230145.tif 000012
【図１１】
0003230145.tif 000013
【図１２】
0003230145.tif 000014